(57)【要約】【課題】通常のカーテン使用時においては何等問題を生じることはないが、誤ってカーテンに首を引っ掛けた時に発生する、不慮の事故を未然に防ぐことができるカーテンレールの吊下用具を提供すること。【解決手段】本考案のカーテンレールの吊下用具１は、天井面Ｂと、カーテンレール２０との間に配置され、上端が天井Ｂに固定される筒状体２と、筒状体２内に収容され、下端がカーテンレール２０に装着されるアーム体５とからなり、カーテンＡに必要以上の荷重が生じた際、筒状体２からアーム体５が引き出されてカーテンレール２０とカーテンＡが下降する。【選択図】図１
0003162466.tif 000002
【実用新案登録請求の範囲】
【請求項１】
天井面と、カーテンレールとの間に配置されるカーテンレールの吊下用具であって、上端が天井に固定される筒状体と、該筒状体内に収容され、下端がカーテンレールに装着されるアーム体と、を具備することを特徴とするカーテンレールの吊下用具。
【請求項２】
一対の筒状体と、該筒状体内に夫々収容される一対のアーム体とを備え、夫々の筒状体の上端が天井に固定され、夫々のアーム体の下端が、回動自在に連結された状態でカーテンレールに装着される請求項１記載のカーテンレールの吊下用具。
【請求項３】
カーテンに必要以上の荷重が生じた際、カーテンおよびカーテンレールを下降させることができる伸縮機構を備える請求項１または２記載のカーテンレールの吊下用具。
【請求項４】
前記伸縮機構が、ラチェット、ガス圧、または油圧による機構である請求項３記載のカーテンレールの吊下用具。
【考案の詳細な説明】
【技術分野】
【０００１】
本考案は、天井面と、カーテンレールとの間に配置されるカーテンレールの吊下用具であって、特に、カーテンに必要以上の荷重が生じた際、カーテンおよびカーテンレールを安全の為に下降させることができるカーテンレールの吊下用具に関する。
【背景技術】
【０００２】
一般的なカーテンは、窓の室内側のカーテンレールに吊り下げられ、レール内のランナーにより開閉自在に装着されている。また、通常、カーテンは荷重がかかっても容易には落下しないように、ランナーに連結されたリングに、金属やプラスチック等からなるフックを介して強固に取り付けられている。
【０００３】
また、病院等の医療施設や老人施設、ユニット式のバスルーム等には、プライベートを維持するため、天井に固定された間仕切り用カーテンレールが設置されており、かかるカーテンレールにカーテンが摺動自在に吊り下げられている。
【０００４】
このように、従来のカーテンはカーテンレールに対し、ある程度の強度を有する状態に吊り下げられている。しかしながら、昨今、カーテンがレールに対し強固に取り付けられているが故に問題となることがある。例えば、その問題の一つとしてカーテンでの首の大動脈圧迫による死亡事故が挙げられる。通常、首を吊ったとしても窒息死することはあまりなく、頚部が斜めに自身の体重により圧迫され、大動脈（頸動脈、脊椎動脈）の流れが妨げられて脳に血液が回らなくなり、脳が酸欠（急性貧血）を起こして失神し、死亡することがほとんどである。即ち、全体重がかかっていなくともカーテンによって大動脈が圧迫されれば死に至るのである。
【０００５】
このような不慮の事故は子供から高齢者までの幅広い世代で発生している。またこれらの事故においては、一般家庭はもちろん、特殊医療施設（精神薄弱者施設）や青少年保護施設、また少年鑑別所（少年院）等でも発生している。
【０００６】
また、病院等に設置された間仕切り用のカーテンにおいては、カーテンレールが天井に強固に固定されているため、患者や高齢者が誤ってカーテンに身体の一部を引っ掛けたときは、同様に不慮の事故が発生する可能性がある。
【０００７】
一方、特許文献１では、カーテンレール用のランナーにおいてスライダー部とカーテン部を二分し、スライダー部とカーテン部を磁石で結合し、容易に着脱可能としたカーテンレール用磁石式ランナーが報告されており、このカーテンレール用磁石式ランナーによれば、力の弱い老人や女性や子供でも容易に嵌脱でき、例えば、手近なカーテンを緊急災害発生時の避難用具として活用することができることが記載されている。
【先行技術文献】
【特許文献】
【０００８】
【特許文献１】特開２００８−８６５４４号公報（特許請求の範囲等）
【考案の概要】
【考案が解決しようとする課題】
【０００９】
しかしながら、上掲特許文献１に記載されたカーテンレール用磁石式ランナーにおいては、力の弱い老人や女性や子供でも容易に嵌脱できることから、経時的に少しでも磁力が弱くなると吊り下げ力が低下し、カーテンが自然に落下してしまうという問題があった。また、磁力により時計や家電製品に悪影響を及ぼす虞もあった。
【００１０】
そこで本考案の目的は、通常のカーテン使用時においては何等問題を生じることはないが、誤ってカーテンに身体の一部を引っ掛けたときに発生する、不慮の事故を未然に防ぐことができるカーテンレールの吊下用具を提供することにある。
【課題を解決するための手段】
【００１１】
上記課題を解決するために、本考案のカーテンレールの吊下用具は、天井面と、カーテンレールとの間に配置されるカーテンレールの吊下用具であって、上端が天井に固定される筒状体と、該筒状体内に収容され、下端がカーテンレールに装着されるアーム体と、を具備することを特徴とするものである。
以下に、本考案の好適実施形態を挙げる。
【００１２】
前記吊下用具は、一対の筒状体と、該筒状体内に夫々収容される一対のアーム体とを備え、夫々の筒状体の上端が天井に固定され、夫々のアーム体の下端が、回動自在に連結された状態でカーテンレールに装着される。
【００１３】
また、前記吊下用具は、カーテンに必要以上の荷重が生じた際、カーテンおよびカーテンレールを下降させることができる伸縮機構を備える。
【００１４】
前記伸縮機構は、ラチェット、ガス圧、または油圧による機構を挙げることができる。
【考案の効果】
【００１５】
本考案のカーテンレールの吊下用具によれば、通常、病院等の間仕切りとして使用する際は何等問題を生じることはないが、カーテンに必要以上の荷重が生じた際、吊下用具のアーム体が引き出され、カーテンおよびカーテンレールを下降させることができ、誤ってカーテンの一部に首を引っ掛けても、頚動脈圧迫による不慮の事故を未然に防ぐことができる。
【図面の簡単な説明】
【００１６】
【図１】本考案の第一実施形態におけるカーテンレールの吊下用具の使用状態を示す斜視図である。
【図２】図１に示すカーテンレールの吊下用具の使用状態を示す正面図である。
【図３】図２に示すカーテンレールの吊下用具に必要以上の荷重が生じた際の状態を示す説明図である。
【図４】本考案の第二実施形態におけるカーテンレールの吊下用具の使用状態を示す斜視図である。
【図５】図４に示すカーテンレールの吊下用具の使用状態を示す正面図である。
【図６】図５に示すカーテンレールの吊下用具に必要以上の荷重が生じた際の状態を示す説明図である。
【考案を実施するための形態】
【００１７】
以下、本考案のカーテンレールの吊下用具における実施の形態を図面に基づいて説明する。
【００１８】
本考案の第一実施形態におけるカーテンレールの吊下用具１は、特に、病院等の医療施設や老人施設、ユニット式のバスルーム等に設置されている、間仕切り用カーテンレール２０と天井Ｂとの間に配置されるものである。なお、本考案のカーテンレールの吊下用具１は、間仕切り用カーテンに限定されるものではなく、窓ガラスの前面に使用する、一般的なカーテンでも同様の効果を発揮できることは言うまでもない。
【００１９】
吊下用具１は、上端が天井Ｂに固定される筒状体２と、筒状体２内に収容され、下端がカーテンレール２０に装着されるアーム体５とからなる。
【００２０】
筒状体２は鉄やステンレス等の金属、もしくは硬質プラスチック等の素材からなり、吊り下げたい高さに対応して、例えば、４００〜１２００ｍｍ程度の様々な長さを有する。また筒状体２の上部には、大径テーパ状の取付部３が形成されている。
【００２１】
筒状体２の内部には、アーム体５が摺動自在に収容されている。アーム体５は筒状体２に対応して４００〜１２００ｍｍ程度の長さを有するアーム本体６と、アーム本体６の下端に備えられている取付部７からなる。この取付部７は連結具８を介してカーテンレール２０に連結されている。
【００２２】
また特に、吊下用具１には、カーテンＡに必要以上の荷重が生じた際、カーテンＡおよびカーテンレール２０を下降させることができる伸縮機構９が具備されている。
【００２３】
伸縮機構９は、カーテンＡおよびカーテンレール２０をスムーズに、且つ安全に下降させるものであり、筒状体２の内部に備えられている。伸縮機構９としては、ラチェット、ガス圧、油圧など、既知の伸縮機構を好適に採用することができる。
【００２４】
伸縮機構９の一例としてラチェットを用いる場合、かかるラチェットは、動作方向を一方に制御する機構であるため、例えば、筒状体２の内部に凹凸部を形成し、アーム体５の一部に、前記凹凸部に係合する爪部を設けることにより形成される。伸縮機構９をラチェットとすることで、引き出されたアーム体５は、係止状態を解除することによりワンタッチで筒状体２内に収容させることができる。
【００２５】
また、伸縮機構９の他の一例としてのガス圧は、筒状体２の内部に圧縮した空気を送り込むことにより形成することができる。伸縮機構９にガス圧を用いることで、無段階で、且つスムーズにアーム体５を伸縮させることができる。また、圧縮空気に変え、筒状体２の内部に作動油を送り込むことで、油圧による伸縮機構９を形成することができる。
【００２６】
本考案のカーテンレールの吊下用具１に、ラチェット、ガス圧、油圧などからなる伸縮機構９を備えることで、例えば、誤ってカーテンＡに首を引っ掛けた状態で荷重がかかってしまった場合でも、頚部の大動脈が圧迫される前にカーテンレール２０およびカーテンＡが下降するため、不慮の事故を未然に防ぐことができる。
【００２７】
また、他の好適例として、図４乃至図６に示す吊下用具１０であってもよい。吊下用具１０は、一対の筒状体１１と、筒状体１１内に収容されるアーム体１３とからなり、略Ｖ字形状を呈している。また、夫々の筒状体１１の上端の取付部１２は天井Ｂに固定され、夫々のアーム体１３の下端の取付部１４は、枢軸１５を介し回動自在に連結されている。さらに、アーム体１３の下端の取付部１４は、連結具１６によりカーテンレール２０に装着されている。
【００２８】
次に、本考案のカーテンレールの吊下用具における使用状態の詳細を図２および図３に基づいて説明する。
【００２９】
図２は、吊下用具１の使用状態を示す正面図である。吊下用具１は天井Ｂとカーテンレール２０との間に配置されており、吊下用具１により、カーテンレール２０とカーテンＡが吊り下げられている。この際、天井Ｂとカーテンレール２０との間隔ｄは、例えば、４００〜１２００ｍｍ程度を有する。
【００３０】
図３は、カーテンＡに必要以上の荷重を与えた状態を示すものである。カーテンＡに必要以上の荷重を与えると、伸縮機構９の作用で、筒状体２内のアーム体５が引き出されてカーテンレール２０とカーテンＡが下降する。この際、約１０ｋｇ程度の荷重でアーム体５が引き出されるように設定することが好ましい。
【００３１】
また、筒状体２内のアーム体５が引き出された状態において、天井Ｂとカーテンレール２０との間隔ｄ´は、間隔ｄと対応して８００〜２４００ｍｍを有する。伸縮機構９の作用でアーム体５が引き出されてカーテンレール２０とカーテンＡが下降することにより、誤ってカーテンＡに首を引っ掛けた状態でも、頚部の大動脈が圧迫されることがない。
【００３２】
図５は、他の形態である吊下用具１０の使用状態を示す正面図である。吊下用具１０は天井Ｂとカーテンレール２０との間に配置されており、吊下用具１０により、カーテンレール２０とカーテンＡが吊り下げられている。この際、天井Ｂとカーテンレール２０との間隔ｄは、４００〜１２００ｍｍ程度を有する。
【００３３】
図６は、カーテンＡに必要以上の荷重を与えた状態を示すものである。カーテンＡに必要以上の荷重を与えると、伸縮機構９の作用で、筒状体１１内のアーム体１３が引き出されてカーテンレール２０とカーテンＡが下降する。この際、約１０ｋｇ程度の荷重でアーム体１３が引き出されるように設定することが好ましい。
【００３４】
筒状体１１内のアーム体１３が引き出された状態において、天井Ｂとカーテンレール２０との間隔ｄ´は、間隔ｄと対応して８００〜２４００ｍｍを有する。伸縮機構９の作用でアーム体１３が引き出されてカーテンレール２０とカーテンＡが下降することにより、誤ってカーテンＡに首を引っ掛けた状態でも、頚部の大動脈が圧迫されることがない。なお、本実施例においては、一対の吊下用具１０が使用されているため、安全性をより一層向上させることができる。
【００３５】
また、本実施例においても、伸縮機構９をラチェットとすることで、引き出されたアーム体１３は、ワンタッチで筒状体１１内に収容させることができる。さらにガス圧や油圧を用いれば、無段階で、且つスムーズにアーム体１３を伸縮させることができる。
【符号の説明】
【００３６】
１  吊下用具
２  筒状体
３  取付部
５  アーム体
６  アーム本体
７  取付部
８  連結具
９  伸縮機構
１０  吊下用具
１１  筒状体
１２  取付部
１３  アーム体
１４  取付部
１５  枢軸
１６  連結具
２０  カーテンレール
Ａ  カーテン
Ｂ  天井
【図１】
0003162466.tif 000003
【図２】
0003162466.tif 000004
【図３】
0003162466.tif 000005
【図４】
0003162466.tif 000006
【図５】
0003162466.tif 000007
【図６】
0003162466.tif 000008